(57)【特許請求の範囲】
【請求項１】
複数のヘッドモジュールと、
前記複数のヘッドモジュールごとのヘッドモジュール情報であり、前記ヘッドモジュールが取り付けられる取付部材と前記ヘッドモジュールとの位置合わせに使用される位置検出素子の情報を含むヘッドモジュール情報が取得されるヘッドモジュール情報取得手段と、
前記取得されたヘッドモジュール情報が記憶されるヘッドモジュール情報記憶手段と、
を備え、
前記ヘッドモジュール情報記憶手段は、前記ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、
前記記憶素子を書き込み可能状態とする第１電圧を発生させる第１電圧発生部と、
前記第１電圧発生部と前記入力端子との間に具備されるヒューズと、
前記記憶素子を書き込み禁止状態とする第２電圧を発生させる第２電圧発生部と、
前記第２電圧発生部と前記入力端子との間に具備される抵抗器と、
前記ヒューズを溶断させる電流を前記ヒューズへ流すか否かを切り換えるスイッチ素子
と、
前記スイッチ素子の切換を行う切換信号が入力される切換信号入力部と、
を具備する記録ヘッドアッセンブリ。
【請求項２】
前記ヘッドモジュール情報は、前記ヘッドモジュールの記録特性情報を含む請求項１に記載の記録ヘッドアッセンブリ。
【請求項３】
前記位置検出素子は、前記ヘッドモジュール又は前記取付部材のいずれか一方に取り付けられる磁気センサと、前記ヘッドモジュール又は前記取付部材の他方に取り付けられる磁石とを含んで構成され、
前記位置検出素子の情報は、前記磁石に対応する前記磁気センサの出力特性である請求項１又は２に記載の記録ヘッドアッセンブリ。
【請求項４】
前記記憶素子は、電気配線基板に搭載された状態で電気的にデータの消去及び書き込みをすることができる半導体素子を含む請求項１から３のいずれか１項に記載の記録ヘッドアッセンブリ。
【請求項５】
請求項１から４のいずれかに記載の記録ヘッドアッセンブリを備え、
前記切換信号入力部は、前記記憶素子への前記ヘッドモジュール情報の記憶がされた後に、前記記憶素子を書き込み禁止状態に固定するために、前記ヒューズを溶断させる電流を前記ヒューズへ流すように前記スイッチ素子の切り換えを行う切換信号が入力される画像記録装置。
【請求項６】
前記スイッチ素子の切り換えを行う切換信号が生成される信号生成部と、
前記ヒューズを溶断させて前記記憶素子を書き込み禁止状態に固定するように、前記生成された切換信号を前記切換信号入力部へ供給するスイッチ制御部と、
を備えた請求項５に記載の画像記録装置。
【請求項７】
前記ヘッドモジュールに駆動電圧を供給する駆動電圧供給手段を備え、
前記駆動電圧供給手段は、前記ヘッドモジュールの記録特性情報に基づいてヘッドモジュールごとに駆動電圧を調整する請求項５又は６に記載の画像記録装置。
【請求項８】
前記スイッチ素子は、前記ヒューズと直列接続されたトランジスタであり、
前記スイッチ制御部は、前記トランジスタをオンさせて前記ヒューズへ前記ヒューズを溶断させる電流を流して前記ヒューズを溶断させた後に、前記トランジスタをオフに固定させるように、前記生成された切換信号を前記切換信号入力部へ供給する請求項６に記載の画像記録装置。
【請求項９】
複数のヘッドモジュールと、
前記複数のヘッドモジュールごとのヘッドモジュール情報であり、前記ヘッドモジュールが取り付けられる取付部材と前記ヘッドモジュールとの位置合わせに使用される位置検出素子の情報を含むヘッドモジュール情報が取得されるヘッドモジュール情報取得手段と、
前記取得されたヘッドモジュール情報が記憶されるヘッドモジュール情報記憶手段と、
を備え、
前記ヘッドモジュール情報記憶手段は、前記ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、
前記記憶素子を書き込み可能状態とする第１電圧を発生させる第１電圧発生部と、
前記第１電圧発生部と前記入力端子との間に具備されるヒューズと、
前記記憶素子を書き込み禁止状態とする第２電圧を発生させる第２電圧発生部と、
前記第２電圧発生部と前記入力端子との間に具備される抵抗器と、
前記ヒューズを溶断させる電流を前記ヒューズへ流すか否かを切り換えるスイッチ素子と、
前記スイッチ素子の切換を行う切換信号が入力される切換信号入力部と、
を具備する記録ヘッドアッセンブリにおいて、
前記記憶素子への前記ヘッドモジュール情報の記憶がされる記憶工程と、
前記記憶工程の後に、前記ヒューズを溶断させる電流を前記ヒューズへ流すように前記スイッチ素子を切り換える切換信号が入力され、前記記憶素子を書き込み禁止状態に固定する固定工程と、
を含む記録ヘッド調整方法。
【請求項１０】
前記ヘッドモジュールを交換する場合に、前記ヘッドモジュール情報記憶手段のヒューズが交換されるヒューズ交換工程と、
前記ヒューズ交換工程後に、前記交換されたヘッドモジュール情報が前記記憶素子へ記憶される再記憶工程と、
前記再記憶工程の後に、前記交換されたヒューズを溶断させて、前記記憶素子を書き込
み禁止状態に固定する再固定工程と、
を含む請求項９に記載の記録ヘッド調整方法。
【請求項１１】
前記記憶工程及び前記再記憶工程の後に、前記ヘッドモジュールの動作テストが実行されるテスト工程を含み、
前記固定工程及び前記再固定工程は、前記テスト工程におけるヘッドモジュールの動作テストに合格すると、その後、前記ヒューズを溶断させて、前記記憶素子を書き込み禁止状態に固定する請求項１０に記載の記録ヘッド調整方法。
【発明の詳細な説明】
【技術分野】
【０００１】
本発明は記録ヘッドアッセンブリ、画像記録装置及び記録ヘッド調整方法に係り、特に複数のヘッドモジュールを組み合わせた構造を有する長尺の記録ヘッドの調整技術に関する。
【背景技術】
【０００２】
汎用の画像記録装置として、インクジェットヘッドから記録媒体上へカラーインクを吐出させて、記録媒体上に所望の画像を記録するインクジェット記録装置が知られている。記録媒体の全幅に対応する長さにわたって複数のノズルが配置された構造を有するライン型ヘッドを備え、記録媒体とインクジェットヘッドとを相対的に１回だけ走査させて、記録媒体の全面に画像を形成するシングルパス方式の画像記録は、主走査方向へヘッドを走査させて同方向の画像記録を行い、記録媒体を所定量送りながら主走査方向への画像記録を繰り返すシリアル方式よりも高速の画像記録を実現することができる。
【０００３】
ライン型記録インクジェットヘッドとして、複数のヘッドモジュールをつなぎ合わせた形態が提案されている。このような形態を有するインクジェットヘッドはモジュール単位での生産が可能であるために歩留まりがよく、インクジェットヘッドに故障が発生した場合には、モジュール単位で交換ができるという利点がある。
【０００４】
一方、複数のヘッドモジュールをつなぎ合わせる工程では、モジュールごとに精密な位置合わせが必要とされる。そのために、モジュールにごとの位置合わせの情報などが所定のメモリに記憶されて、このメモリ内の情報は装置内で管理される。
【０００５】
また、各ヘッドモジュールの出力特性（記録特性）に合わせて記録動作を最適化するために、予め記憶されている各ヘッドモジュールの情報に応じて各ヘッドモジュールの記録動作が制御される。
【０００６】
特許文献１は、記録ヘッドの固有の記録特性データを記録ヘッド内のメモリに書き込むことにより、実際に使用されている記録ヘッドではない他の記録ヘッドの記録特性データが誤って反映されることが防止され、記録濃度斑の改善が図られる記録装置を開示している。
【０００７】
特許文献２は、記録ヘッドに個々を識別するための識別番号を付与し、記録装置本体側の不揮発性メモリに特定の識別番号を制御するための特性データを記憶しておき、記録ヘッドが装着されているか否かを検出し、記録ヘッドが装着されていることを検出した際に特定の識別番号と装着されている記録ヘッドの識別番号とを比較させるべく、２つの識別番号を表示させ、２つの識別番号が同一であるか否かに応じた操作を行わせ、操作の結果に応じて特性データが変更される記録装置を開示している。
【０００８】
特許文献３は、インクタンクの挿入深さにより、インク情報が記憶されるメモリの書き換えを禁止するように構成されたインクジェット記録装置を開示している。
【０００９】
特許文献４は、カートリッジなど消耗部品容器に同定情報やインク残量などの情報を記憶させたＩＣチップを有し、機器側に該ＩＣチップと交信するための結合コイルを設け、本体側が同定情報や前回残量情報を取得することにより正規の消耗品であることを認知するように構成して、正規の消耗品であることを認知して本体機器を動作させることにより、非正規部品による機器の劣化、性能の低下、故障などを未然に防止する収納容器及び管理システムを開示している。
【先行技術文献】
【特許文献】
【００１０】
【特許文献１】特開２００３‐２３１２４５号公報
【特許文献２】特開２００２‐３４７２２５号公報
【特許文献３】特開２００５‐１４３９７号公報
【特許文献４】特開２０００‐２４６９２１号公報
【発明の概要】
【発明が解決しようとする課題】
【００１１】
ヘッドモジュールの情報などが記憶されるメモリは、電気回路基板に搭載され、固定された状態でデータの記憶や更新を行うことができるものがある。このようなオンボード書き込みが可能なメモリは、データの消去や書き込み（更新）が可能な状態と、データの消去や書き込みが禁止される状態とを信号により切り換えることができるものがある。
【００１２】
かかるメモリは、ノイズ等に起因する誤動作によってデータが消去されてしまうことや、データが書き換えられてしまうことが懸念される。
【００１３】
特許文献１から４は、メモリに記憶されているデータが誤って消去されてしまうことや、書き換えられてしまうという課題を開示していない。また、かかる課題を解決するための構成を開示していない。
【００１４】
本発明はこのような事情に鑑みてなされたもので、複数のヘッドモジュールを具備するライン型インクジェットヘッドを備える構成において、各ヘッドモジュールの情報が誤って消去されること、書き換えられることが防止される記録ヘッドアッセンブリ、画像記録装置及び記録ヘッド調整方法を提供することを目的とする。
【課題を解決するための手段】
【００１５】
上記目的を達成するために、本発明に係る記録ヘッドアッセンブリは、複数のヘッドモジュールと、複数のヘッドモジュールごとのヘッドモジュール情報であり、ヘッドモジュールが取り付けられる取付部材とヘッドモジュールとの位置合わせに使用される位置検出素子の情報を含むヘッドモジュール情報が取得されるヘッドモジュール情報取得手段と、取得されたヘッドモジュール情報が記憶されるヘッドモジュール情報記憶手段と、を備え、ヘッドモジュール情報記憶手段は、ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、記憶素子を書き込み可能状態とする第１電圧を発生させる第１電圧発生部と、第１電圧発生部と入力端子との間に具備されるヒューズと、記憶素子を書き込み禁止状態とする第２電圧を発生させる第２電圧発生部と、第２電圧発生部と入力端子との間に具備される抵抗器と、ヒューズを溶断させる電流をヒューズへ流すか否かを切り換えるスイッチ素子と、スイッチ素子の切換を行う切換信号が入力される切換信号入力部と、を具備している。
【発明の効果】
【００１６】
本発明によれば、ヘッドモジュール情報がヘッドモジュール情報記憶手段に具備される記憶素子へ記憶されると、ヒューズを溶断させて記憶手段をハードウエア的に書込み禁止状態に固定することができるので、記憶素子に記憶されているヘッドモジュール情報が消失することや、書き換えられてしまうことが防止され、位置検出情報を利用して、ヘッドモジュールと取付部材との位置合わせをすることが可能となる。
【図面の簡単な説明】
【００１７】
【図１】本発明の実施形態に係るインクジェット記録装置の全体構成図
【図２】図１に示すインクジェットヘッドの概略構成を示す平面図
【図３】第１実施形態に係るインクジェット記録装置に具備されるインクジェットヘッドのノズル配置の説明図
【図４】図３に示すインクジェットヘッドの立体構造を示す断面図
【図５】図３に示すインクジェットヘッドと駆動電圧供給部との接続例を模式的に図示した説明図
【図６】ヘッドモジュール情報記憶部の概略構成を示す電気回路図
【図７】図６に示すヘッドモジュール情報記憶部の他の構成例を示す電気回路図
【図８】図１に示すインクジェット記録装置の制御系の概略構成を示すブロック図
【図９】図８に示すヘッド駆動部の構成例を示すブロック図
【図１０】ヘッドモジュールの情報の記憶の流れを示すフローチャート
【図１１】ヘッドモジュール交換における記憶の流れを示すフローチャート
【図１２】第２実施形態に係るインクジェット記録装置に具備されるインクジェットヘッドの概略構成を示す平面図
【図１３】図１２に示すインクジェットヘッドと磁気センサとの配置関係を模式的に図示した説明図
【図１４】第２実施形態に係るインクジェット記録装置の制御系の概略構成を示すブロック図
【図１５】センサ情報の記憶の流れを示すフローチャート
【発明を実施するための形態】
【００１８】
以下、添付図面に従って本発明を実施するための形態について詳説する。
【００１９】
〔インクジェット記録装置の全体構成〕
図１は、本発明の実施形態に係るインクジェット記録装置（画像記録装置）の概略構成を示す全体構成図である。同図に示すインクジェット記録装置１０は、記録媒体１４を圧胴の外周面に保持して搬送する圧胴搬送方式が適用される。
【００２０】
記録媒体１４にインクを吐出させるインクジェットヘッド４８Ｋ，４８Ｃ，４８Ｍ，４８Ｙ（記録ヘッド）は、ノズル面が圧胴（描画胴４４）の外周面の法線に対して直交するように、水平面に対して斜めに傾けられて配置される。
【００２１】
図１に示すインクジェット記録装置１０は、画像形成前の記録媒体１４が収納される記録媒体収納部２０と、記録媒体収納部２０から送り出された記録媒体１４に処理液を塗布する処理液塗布部３０と、処理液が塗布された記録媒体１４にカラーインクを吐出させて、所望のカラー画像を形成する描画部４０と、カラー画像が形成された記録媒体１４を乾燥させる乾燥処理部５０と、乾燥処理後の記録媒体１４に対して定着処理を施す定着処理部６０と、定着処理後の記録媒体１４を排出させる排出部７０と、を備えている。
【００２２】
給紙トレイ１２を介して渡し胴３２に受け渡された記録媒体１４は、処理液胴３４のグリッパー８０Ａ，８０Ｂに先端部を挟持され、処理液胴３４に支持されて、処理液胴３４の回転に従って処理液胴３４の外周面に沿って搬送される。
【００２３】
処理液胴３４により回転搬送される記録媒体１４は、処理液胴３４の外周面と対向する位置に配置される処理液塗布装置３６の処理領域に達すると、画像が形成される面に処理液を塗布される。処理液塗布装置３６により塗布される処理液は、インクジェットヘッド４８Ｋ，４８Ｃ，４８Ｍ，４８Ｙから吐出されるカラーインクと反応して、カラーインクに含まれる着色剤を凝集又は不溶化させる機能を有している。
【００２４】
処理液が塗布された記録媒体１４は、渡し胴４２を介して描画胴４４へ受け渡され、描画胴４４の外周面に保持されて、描画胴４４の外周面に沿って回転搬送される。
【００２５】
インクジェットヘッド４８Ｋ，４８Ｃ，４８Ｍ，４８Ｙの記録媒体搬送方向上流側の直前には用紙押さえローラ４６が配置されており、インクジェットヘッド４８Ｋ，４８Ｃ，４８Ｍ，４８Ｙの直下に進入する直前に用紙押さえローラ４６により記録媒体１４を描画胴４４の外周面へ密着させるように構成される。
【００２６】
描画胴４４によって回転搬送される記録媒体１４は、インクジェットヘッド４８Ｋ，４８Ｃ，４８Ｍ，４８Ｙからカラーインクが吐出され、処理液が塗布された画像形成面（液体付着面）にカラー画像が形成される。
【００２７】
カラー画像が形成された記録媒体１４は、渡し胴５２を介して乾燥胴５４へ受け渡され、乾燥胴５４の外周面に支持されて、乾燥胴５４の回転に従って乾燥胴５４の外周面に沿って回転搬送される。
【００２８】
乾燥胴５４により回転搬送される記録媒体１４は、乾燥処理装置５６から乾燥処理が施される。乾燥処理には、ヒータによる加熱、ファンによる乾燥風（加熱風）の吹きつけ、又はこれらの組み合わせが適用される。
【００２９】
乾燥処理が施された記録媒体１４は、渡し胴６２を介して定着胴６４へ受け渡される。定着胴６４に受け渡された記録媒体１４は、定着胴６４の外周面に保持されて、定着胴６４の回転に従って定着胴６４の外周面に沿って回転搬送される。
【００３０】
定着胴６４により回転搬送される記録媒体１４上に形成された画像は、ヒータ６６により加熱処理が施されるとともに、定着ローラ６８により加圧処理が施される。定着ローラ６８の記録媒体搬送方向下流側に設けられるインラインセンサ８２は、加熱及び加圧による定着処理が施された記録媒体１４（画像）を撮像する手段であり、インラインセンサ８２の撮像結果に基づいて、インクジェットヘッド４８Ｋ，４８Ｃ，４８Ｍ，４８Ｙの吐出異常が判断される。
【００３１】
インラインセンサ８２による撮像領域を通過した記録媒体１４は、排出部７０へ送られる。排出部７０は、張架ローラ７２Ａ，７２Ｂに巻き掛けられたチェーン７４により記録媒体１４をストッカー７６へ搬送するように構成されている。
【００３２】
〔描画部の構成〕
図２は、図１に示すインクジェットヘッド４８（４８Ｋ，４８Ｃ，４８Ｍ，４８Ｙ）の概略構成を示す平面図である。本例に示すインクジェットヘッド４８Ｋ，４８Ｃ，４８Ｍ，４８Ｙの構造は共通しているので、色別のインクジェットヘッドを区別する必要がない場合は、色を表すアルファベットを省略してインクジェットヘッドを表すこととする。
【００３３】
図２に示すように、インクジェットヘッド４８は、複数のヘッドモジュール４８Ａを長手方向（Ｍを付して図示した方向）につなぎ合わせた構造を有している。
【００３４】
なお、各ヘッドモジュール４８Ａは単体でもインクジェット方式の記録ヘッド（インクジェットヘッド）として機能させることができるように、流路や電気配線等が構成されている。
【００３５】
描画部４０に具備されるインクジェットヘッド４８Ｋ，４８Ｃ，４８Ｍ，４８Ｙは、記録媒体１４の全幅（少なくとも、記録媒体１４の画像形成領域の全長）を超える長さにわたって複数のノズル（図２中不図示、図３に符号１５０を付して図示）が配置されたフルライン型のインクジェットヘッドである。
【００３６】
図２に示すインクジェットヘッド４８Ｋ，４８Ｃ，４８Ｍ，４８Ｙは、記録媒体搬送方向の上流側からこの順番で配置されている（図１参照）。フルライン型のインクジェットヘッド４８Ｋ，４８Ｃ，４８Ｍ，４８Ｙと記録媒体１４とを相対的に一回だけ移動させるシングルパス方式により、記録媒体１４の全域にわたって記録画像を記録することができる。
【００３７】
なお、描画部４０は上述した形態に限定されない。例えば、ＬＣ（ライトシアン）やＬＭ（ライトマゼンタ）に対応するインクジェットヘッド４８を具備してもよい。また、インクジェットヘッド４８Ｋ，４８Ｃ，４８Ｍ，４８Ｙの配置順も適宜変更可能である。
【００３８】
〔インクジェットヘッドの構造：第１実施形態〕
次に、本発明の第１実施形態に係るインクジェット記録装置に具備されるインクジェットヘッド４８の構造について説明する。図３は、インクジェットヘッド４８（ヘッドモジュール４８Ａ）のノズル配置を示す平面透視図である。
【００３９】
同図に示すヘッドモジュール４８Ａは、記録媒体１４の搬送方向（符号Ｓを付して図示する副走査方向）と直交する方向（主走査方向）に沿う行方向、及び記録媒体１４の搬送方向と直交しない斜めの列方向に沿って複数のノズル１５０及び圧力室１５２等から構成される吐出素子（記録素子）１５４がマトリクス配置された構造を有している。
【００４０】
図３に示すようにノズル１５０（吐出素子１５４）をマトリクス配置させることで、記録媒体１４の搬送方向と直交する方向の実質的なノズル配置密度が高密度化される。なお、本発明に適用可能なインクジェットヘッドのノズル配置は、図３に図示したマトリクス配置に限定されない。
【００４１】
例えば、記録媒体の搬送方向と直交する方向に沿って複数のノズル１５０を１列に配置させる態様や、同方向に複数のノズル１５０を２列の千鳥配置させる態様などを適用することができる。
【００４２】
図４は、インクジェットヘッド４８（ヘッドモジュール４８Ａ）の一吐出素子分の立体構造を示す断面図である。同図に示すように、インクジェットヘッド４８（ヘッドモジュール４８Ａ）は、インクを吐出させるノズル１５０と、ノズル１５０と連通する圧力室１５２と、圧力室１５２の天井面を構成する振動板１５６と、振動板１５６に設けられる圧電素子１５８と、を備えている。
【００４３】
圧力室１５２は、供給口（供給絞り）１６０を介して共通流路１６２と連通され、さらに、共通流路１６２は、不図示の流路等を介してインクジェットヘッド４８の外部に配置されるインクタンクと連通している。
【００４４】
圧電素子１５８は、上部電極１６４及び下部電極１６６に圧電体１６８がはさまれた構造を有し、上部電極１６４と下部電極１６６との間に駆動電圧を印加することでたわみ変形が生じ、圧電素子１５８のたわみ変形により圧力室１５２が変形することで、圧力室１５２の内部に収容されているインクがノズル１５０から吐出される。
【００４５】
圧電素子１５８のたわみ変形が元の状態に復元されると、共通流路１６２から供給口１６０を介して圧力室１５２内にインクが充填される。なお、振動板１５６に金属材料が適用される場合は、振動板１５６と下部電極１６６とを共通化してもよい。
【００４６】
図４に示すインクジェットヘッド４８は、複数のキャビティプレートを積層させた構造を有している。例えば、ノズル１５０の開口部（インク吐出面１５０Ａ）が形成されるノズルプレートと、圧力室１５２、供給口１６０、共通流路１６２等が形成される流路プレートと、振動板と、圧電素子とを、この順に積層させる態様が挙げられる。なお、上記した各プレートをさらに複数のプレートにより構成することも可能である。
【００４７】
本例では、インクの吐出方式として圧電素子のたわみ変形を利用する圧電方式を例示したが、液室内にヒータを備え、該ヒータを動作させて液室内のインクを加熱し、膜沸騰現象を利用してインクを吐出させるサーマル方式を適用することも可能である。
【００４８】
〔駆動電圧供給部の説明〕
図５は、図１に示すインクジェットヘッド４８と、インクジェットヘッド４８へ駆動電圧を供給する駆動電圧供給部（駆動電圧供給手段）との接続例を模式的に図示した説明図である。
【００４９】
図５に示すように、ヘッドモジュール４８Ａは、ヘッドモジュール４８Ａごとにヘッド取り付けプレート４８Ｂに取り付けられ、ヘッドモジュール４８Ａごとに駆動電圧が供給される駆動電圧供給部９０が具備される。
【００５０】
駆動電圧供給部９０は、電気配線基板（駆動回路基板）９１に搭載された駆動電圧生成回路、駆動電圧出力回路（ともに不図示）を含み、駆動電圧出力回路の駆動電圧出力部は、フレキシブル基板９０Ａを介してインクジェットヘッド４８の電気配線パターンに接続される。
【００５１】
また、駆動回路基板９１は、駆動電圧の供給先であるヘッドモジュール４８Ａの情報が記憶されるヘッドモジュール情報記憶部９２（ヘッドモジュール情報記憶手段）、フレキシブル基板９０Ａが接続されるコネクタ９３、及びヘッドモジュール４８Ａの情報や画像データ（ドットデータ）を取得するためのデータ入力部９４（ヘッドモジュール情報取得手段）が搭載される。
【００５２】
データ入力部９４は、異なるデータ通信形式に対応して複数のインターフェースを備えることも可能である。例えば、シリアル通信インターフェース、パラレル通信インターフェース、無線通信インターフェースを備える態様がありうる。
【００５３】
また、データ入力部９４にシリアル通信インターフェース以外の通信インターフェースが具備される場合は、シリアル通信形式にデータを変換するデータ変換部が具備される。
【００５４】
ヘッドモジュール４８Ａの情報は、ヘッドモジュール４８Ａごとの識別番号、ノズル配置、各ノズルの吐出特性等のノズルに関する情報、記録素子（圧電素子、ヒータ）の駆動特性などの吐出素子（記録素子）に関する情報、駆動波形（電圧）の調整値などの駆動電圧に関する情報が含まれる。
【００５５】
例えば、ノズルに関する情報、吐出素子に関する情報に基づいて駆動電圧を調整して、インクジェットヘッド４８全体として均一な記録特性を確保することが可能である。
【００５６】
また、ヘッドモジュール４８Ａの情報として、ヘッド取り付けプレート４８Ｂへの取り付け誤差の情報が含まれていてもよい。ヘッドモジュール４８Ａの取り付け誤差の情報に基づいてヘッドモジュール４８Ａの駆動を調整することや、画像データを補正することで、ヘッドモジュール４８Ａの取り付け誤差に起因する画像品質の低下を回避することが可能となる。
【００５７】
ヘッドモジュール情報記憶部９２は、駆動回路基板９１に搭載され固定された状態でデータ消去及びデータの書き込みが可能なメモリ（例えば、ＥＥＰＲＯＭ（Electrically Erasable Programmable Read-Only Memory、図６に符号９２Ａを付して図示）が含まれる。
【００５８】
「メモリが駆動回路基板９１に搭載され固定された状態（オンボード）」には、該メモリの端子（リード線）と駆動回路基板のパッドが、はんだ等の導電性接合剤により接合された状態である。
【００５９】
ヘッドモジュール４８Ａがヘッド取り付けプレート４８Ｂ（取付部材）に取り付けられた後に、当該ヘッドモジュール４８Ａの情報をヘッドモジュール情報記憶部９２へ記憶する必要があり、また、ヘッドモジュール４８Ａが交換された場合は、交換された後のヘッドモジュール４８Ａの情報を記憶する必要があるので、ヘッドモジュール４８Ａの情報が記憶されるメモリには、予め一括してデータの書き込みが行われるワンタイム型のメモリを用いることができない。
【００６０】
したがって、ヘッドモジュール４８Ａの情報が記憶されるメモリには、オンボードでデータの消去及びデータの書き込みが可能なメモリが適用される。
【００６１】
ヘッドモジュール４８Ａの情報は、各ヘッドモジュール４８Ａに取り付けられた情報記憶体（ＩＣタグ等）から無線形式のデータ通信によって取得してもよいし、ヘッドモジュール４８Ａの情報が記憶された記憶媒体（メモリカード等）から、所定の通信インターフェース（カードスロット）を介して取得してもよい。
【００６２】
また、予め使用されるヘッドモジュール４８Ａの情報が記憶されているデータベースから、各ヘッドモジュール４８Ａに付与された識別番号に基づいて、該当するヘッドモジュール４８Ａの情報を読み出してもよい。
【００６３】
〔ヘッドモジュール情報記憶部の説明〕
図６は、ヘッドモジュール情報記憶部９２の概略構成を示す電気回路図である。同図に示すＥＥＰＲＯＭ９２Ａ（記憶素子）は、シリアルインターフェースが内蔵される記憶素子である。また、ＥＥＰＲＯＭ９２Ａはデータの書き込み許可状態及びデータの書き込み禁止状態（読み出し専用状態）を切り換える状態切換信号が入力されるライトプロテクト端子ＷＰ（入力端子）を有している。
【００６４】
ＥＥＰＲＯＭ９２Ａのクロック入力端子ＣＬは、ＥＥＰＲＯＭ９２Ａの動作周期が決められるクロック信号が入力される。ＥＥＰＲＯＭ９２Ａは、入力されたクロック信号に分周処理を施して、動作クロックを生成する。
【００６５】
データ入力端子ＤＩは、シリアル形式のデータが入力される。なお、本例ではシリアルデータ通信形式の記憶素子を例示したが、バスラインを介してデータ通信が行われるパラレル通信方式の記憶素子を備える態様も可能である。
【００６６】
データ入力端子ＤＩは、図５に図示した駆動回路基板９１に形成された配線パターンを介して図５に図示したデータ入力部９４と電気的に接続される。
【００６７】
図６に示すＥＥＰＲＯＭ９２Ａは、ライトプロテクト端子ＷＰにＨレベルの切換信号（電圧）が入力されると、プロテクトモードとなり、データの書き込みが不可能な状態（書き込み禁止状態）となる。一方、ライトプロテクト端子にＬレベルの切換信号が入力されると、プロテクトモードが解除され、データの書込みが可能な状態（書き込み許可状態）となる。
【００６８】
ライトプロテクト端子ＷＰは、電源電圧Ｖｃｃ（第２電圧発生部）との間にプルアップ抵抗器Ｒ及びＮＰＮトランジスタＱ（スイッチ素子）が挿入されるとともに、グランド電圧ＧＮＤ（第１電圧発生部）との間にヒューズＦが挿入される。
【００６９】
トランジスタＱのコレクタ端子は電源電圧Ｖｃｃに接続され、エミッタ端子はライトプロテクト端子ＷＰに接続され、ベース端子はリード信号（ＲＥＡＤ）が入力される。リード信号は不図示のリード信号生成部により生成され、制御系（詳細後述）の制御に基づきトランジスタＱに供給される。
【００７０】
リード信号がＬレベルの場合、トランジスタＱはオフとなり、ライトプロテクト端子ＷＰにはＨレベルの電圧が入力され、ＥＥＰＲＯＭ９２Ａにデータを書き込むことが可能となる。
【００７１】
一方、Ｈレベルのリード信号によってトランジスタＱをオンさせると、プルアップ抵抗器Ｒを経由せずにトランジスタＱを経由して電源電圧Ｖｃｃからグランド電圧ＧＮＤへ電流が流れ、ヒューズＦを溶断させる。ヒューズＦが溶断された後は、Ｌレベルのリード信号がトランジスタＱのベース端子に印加され、トランジスタＱはオフにされる。
【００７２】
ヒューズＦが溶断された後は、ライトプロテクト端子ＷＰに入力される電圧がＨレベル固定されるので、ＥＥＰＲＯＭ９２Ａはデータの書き込みが不可能な状態にハードウエア的に固定される。
【００７３】
かかる構成によれば、ヘッドモジュール４８Ａの情報がＥＥＰＲＯＭ９２Ａに書き込まれると、ＥＥＰＲＯＭ９２Ａのライトプロテクト端子ＷＰがＨレベルに固定され、Ｌレベルに切り換わることがなく、ＥＥＰＲＯＭ９２Ａはハードウエア的に書込み禁止状態に固定され、読み出し専用メモリとして機能するので、ヘッドモジュール４８Ａの情報が消失してしまうことや、ヘッドモジュール４８Ａの情報が書き換えられてしまうことが防止される。
【００７４】
なお、ヒューズＦに代わりヒューズ抵抗を適用してもよい。また、トランジスタＱはバイポーラ型トランジスタを適用してもよいし、ＦＥＴ（Field effect transistor）を適用してもよい。
【００７５】
図７は、図６に示すヘッドモジュール情報記憶部９２の他の態様の概略構成を示す電気回路図である。なお、図７中、図６と同一又は類似する部分には同一の符号を付し、その説明は省略する。
【００７６】
図７に示すＥＥＰＲＯＭ９２Ａ’は、ライトプロテクト端子ＷＰがローアクティブとなっており、ライトプロテクト端子ＷＰにＬレベルの切換信号が入力されると、データの書き込み許可状態となる。一方、ライトプロテクト端子ＷＰにＨレベルの切換信号が入力されると、データの書込み禁止状態となる。
【００７７】
図７に示すヘッドモジュール情報記憶部９２’は、ライトプロテクト端子ＷＰとグランド電圧ＧＮＤ（第２電圧発生部）との間にプルダウン抵抗器Ｒ’が挿入される。また、ライトプロテクト端子ＷＰと電源電圧Ｖｃｃ（第１電圧発生部）との間にヒューズＦ及び抵抗器ＲＡ（Ｒ’≫ＲＡ）が挿入され、ヒューズＦと抵抗器ＲＡとは直列接続されている。
【００７８】
さらに、ヒューズＦと抵抗器ＲＡとの接続部とグランド電圧ＧＮＤとの間には、トランジスタＱ’が挿入される。トランジスタＱ’のコレクタ端子はヒューズＦと抵抗器ＲＡとの接続部に接続され、エミッタ端子はグランド電圧ＧＮＤに接続され、ベース端子はリード信号（ＲＥＡＤ）が入力される。
【００７９】
リード信号がＬレベルの場合、トランジスタＱ’はオフとなり、ライトプロテクト端子ＷＰにはＨレベルの電圧（抵抗器ＲＡとプルダウン抵抗器Ｒ’で電源電圧Ｖｃｃが抵抗分割された電圧）が入力され、ＥＥＰＲＯＭ９２Ａ’にデータを書き込むことが可能となる。
【００８０】
一方、Ｈレベルのリード信号によってトランジスタＱ’をオンさせると、プルダウン抵抗器Ｒ’及び抵抗器ＲＡを経由せずにトランジスタＱ’を経由して電源電圧Ｖｃｃからグランド電圧ＧＮＤへ電流が流れ、ヒューズＦを溶断させる。ヒューズＦが溶断された後は、Ｌレベルのリード信号がトランジスタＱ’のベース端子に印加され、トランジスタＱ’はオフにされる。
【００８１】
ヒューズＦが溶断された後は、ライトプロテクト端子ＷＰに入力される電圧がハードウエア的にＬレベル固定されるので、ＥＥＰＲＯＭ９２Ａ’はデータの書き込みが不可能な状態にハードウエア的に固定され、ＥＥＰＲＯＭ９２Ａ’は読み出し専用メモリとして機能する。
【００８２】
かかる構成によれば、図６に図示したヘッドモジュール情報記憶部９２と同様に、ヘッドモジュール４８Ａの情報がＥＥＰＲＯＭ９２Ａ’に書き込まれると、ＥＥＰＲＯＭ９２Ａ’のライトプロテクト端子ＷＰがＬレベルに固定され、Ｈレベルに切り換わることがなく、ＥＥＰＲＯＭ９２Ａ’は書込み禁止状態に固定され、ＥＥＰＲＯＭ９２Ａ’は読み出し専用メモリとして機能するので、ヘッドモジュール４８Ａの情報が消失してしまうことや、ヘッドモジュール４８Ａの情報が書き換えられてしまうことが防止される。
【００８３】
〔制御系の構成〕
図８は、インクジェット記録装置１０の制御系の概略構成を示すブロック図である。同図に示すように、インクジェット記録装置１０は、通信インターフェース１７０、システム制御部１７２、搬送制御部１７４、画像処理部１７６、ヘッド駆動部１７８を備えるとともに、画像メモリ１８０、ＲＯＭ１８２を備えている。
【００８４】
通信インターフェース１７０は、ホストコンピュータ１８４から送られてくるラスター画像データを受信するインターフェース部である。通信インターフェース１７０は、ＵＳＢ（Universal Serial Bus）などのシリアルインターフェースを適用してもよいし、セントロニクスなどのパラレルインターフェースを適用してもよい。通信インターフェース１７０は、通信を高速化するためのバッファメモリ（不図示）を搭載してもよい。
【００８５】
システム制御部１７２は、中央演算処理装置（ＣＰＵ）及びその周辺回路等から構成され、所定のプログラムに従ってインクジェット記録装置１０の全体を制御する制御装置として機能するとともに、各種演算を行う演算装置として機能し、さらに、画像メモリ１８０及びＲＯＭ１８２のメモリコントローラとして機能する。
【００８６】
すなわち、システム制御部１７２は、通信インターフェース１７０、搬送制御部１７４等の各部を制御し、ホストコンピュータ１８４との間の通信制御、画像メモリ１８０及びＲＯＭ１８２の読み書き制御等を行うとともに、上記の各部を制御する制御信号を生成する。
【００８７】
ホストコンピュータ１８４から送出された画像データは通信インターフェース１７０を介してインクジェット記録装置１０に取り込まれ、画像処理部１７６によって所定の画像処理が施される。
【００８８】
画像処理部１７６は、画像データから印字制御用の信号を生成するための各種加工、補正などの処理を行う信号（画像）処理機能を有し、生成した印字データ（ドットデータ）をヘッド駆動部１７８に供給する制御部である。
【００８９】
画像処理部１７６において所要の信号処理が施されると、該印字データ（ハーフトーン画像データ）に基づいて、ヘッド駆動部１７８を介してインクジェットヘッド４８の吐出液滴量（打滴量）や吐出タイミングの制御が行われる。なお、ヘッド駆動部１７８は、ヘッドユニット１２ごとに複数のブロックから構成されていてもよい。
【００９０】
これにより、所望のドットサイズやドット配置が実現される。なお、図８に示すヘッド駆動部１７８には、インクジェットヘッド４８の駆動条件を一定に保つためのフィードバック制御系を含んでいてもよい。
【００９１】
搬送制御部１７４は、画像処理部１７６により生成された印字データに基づいて記録媒体（図１参照）の搬送タイミング及び搬送速度を制御する。図８における搬送駆動部１８６は、図１に示す記録媒体１４を搬送する圧胴３４，４４，５４，６４及び渡し胴３２，４２，５２，６２を駆動するモータが含まれており、搬送制御部１７４は該モータのドライバーとして機能している。
【００９２】
画像メモリ（一時記憶メモリ）１８０は、通信インターフェース１７０を介して入力された画像データを一旦格納する一時記憶手段としての機能や、ＲＯＭ１８２に記憶されている各種プログラムの展開領域及びＣＰＵの演算作業領域（例えば、画像処理部１７６の作業領域）としての機能を有している。画像メモリ１８０には、逐次読み書きが可能な揮発性メモリ（ＲＡＭ）が用いられる。
【００９３】
ＲＯＭ１８２は、システム制御部１７２のＣＰＵが実行するプログラムや、装置各部の制御に必要な各種データ、制御パラメータなどが格納されており、システム制御部１７２を通じてデータの読み書きが行われる。ＲＯＭ１８２は、半導体素子からなるメモリに限らず、ハードディスクなど磁気媒体を用いてもよい。また、外部インターフェースを備え、着脱可能な記憶媒体を用いてもよい。
【００９４】
パラメータ記憶部１９０は、インクジェット記録装置１０の動作に必要な各種制御パラメータが記憶されている。システム制御部１７２は、制御に必要なパラメータを適宜読み出すとともに、必要に応じて各種パラメータの更新（書換）を実行する。
【００９５】
プログラム格納部１９２は、インクジェット記録装置１０を動作させるための制御プログラムが格納されている記憶手段である。システム制御部１７２（又は装置各部）は、装置各部の制御を実行する際にプログラム格納部１９２から必要な制御プログラムが読み出され、該制御プログラムは適宜実行される。
【００９６】
ヘッドモジュール情報記憶部９２（９２’）は、システム制御部１７２を介してデータ入力部９４を介して取得されたヘッドモジュール４８Ａの情報が書き込まれる。
【００９７】
また、ヘッドモジュール情報記憶部９２（９２’）は、システム制御部１７２から送出されるリード信号に基づいて、ヘッドモジュール４８Ａの情報（データ）の書き込みが許可される書き込み許可モードから、ヘッドモジュール４８Ａの情報の書き込みが禁止される書込み禁止モードへの切り換えがされる。
【００９８】
ヘッドモジュール情報記憶部９２（９２’）、データ入力部９４及びヘッド駆動部１７８は、駆動回路基板９１に設けられる。なお、駆動回路基板９１に制御部（不図示）を具備し、システム制御部１７２の一部の機能を駆動回路基板９１の制御部に実行させてもよい。
【００９９】
表示部１７１は、装置の稼動状態、アラーム等の各種情報が表示され、液晶ディスプレイ等のモニタ装置が適用される。表示部１７１にタッチパネル式のモニタ装置を適用して、オペレータが使用する入力装置と兼用する態様も可能である。
【０１００】
〔ヘッド駆動部の詳細な説明〕
図９は、図８に図示したヘッド駆動部１７８の構成例を示すブロック図である。同図に示す構成例は、ヘッドコントローラ２００から伝送されるデジタル形式の波形信号に基づいてアナログ形式の波形信号（駆動波形）を生成する駆動波形生成部２０２と、該駆動波形を電圧増幅及び電流増幅する増幅部（ＡＭＰ）２０４と、を具備している。
【０１０１】
ヘッドコントローラ２００から伝送されるシリアル形式の印字データは、クロック信号に同期してクロック信号とともにシフトレジスタ２０６へ伝送される。駆動波形生成部２０２によって生成される駆動波形は、複数の波形要素が含まれる。この複数の波形要素の中から一つ又は複数の波形要素を選択することで、インクの吐出量を段階的に変更することが可能となっている。
【０１０２】
シフトレジスタ２０６に記憶された印字データは、ラッチ信号に基づいてラッチ回路２０８へラッチされる。ラッチ回路２０８にラッチされた信号はレベル変換回路２１０においてスイッチＩＣ２１２を構成するスイッチ素子２１４を駆動可能な所定の電圧に変換される。
【０１０３】
このレベル変換回路２１０の出力信号によってスイッチ素子２１４のオンオフが制御することで、複数の波形要素の中から少なくとも１つの波形要素が選択されて吐出量が決められ、ヘッドコントローラ２００から送出されるセレクト信号及びイネーブル信号によって駆動される圧電素子１５８が選択される。
【０１０４】
ヘッド駆動部１７８は、図８に図示したヘッドモジュール情報記憶部９２に記憶されたヘッドモジュール４８Ａの情報（記録特性、取り付け位置の誤差情報等）に基づき、インクジェットヘッド４８全体として均一な記録特性が得られるように、各ヘッドモジュール４８Ａに供給される駆動電圧を調整する。
【０１０５】
駆動電圧を調整する例として、最大振幅の調整、吐出量（ドットサイズ）の調整などが挙げられる。
【０１０６】
なお、インクジェットヘッド４８の駆動方式は、共通の駆動電圧（駆動波形）を選択的に印加する方式に限定されず、総ノズル数が比較的少ないインクジェットヘッドでは、ノズルごとに駆動波形が生成される方式を適用することも可能である。
【０１０７】
図９におけるヘッドコントローラ２００は、図８のシステム制御部１７２と兼用することも可能である。
【０１０８】
〔ヘッドモジュール情報の記憶の説明〕
図１０は、ヘッドモジュール４８Ａの情報をＥＥＰＲＯＭ９２Ａへ記憶する際の流れを示すフローチャートである。
【０１０９】
ヘッドモジュール４８Ａの情報の記憶が開始されると（ステップＳ１０）、ヘッドモジュール４８Ａの認識がされる（ステップＳ１２）。ヘッドモジュール４８Ａの認識は、対象となるヘッドモジュール４８Ａの識別番号をオペレータが入力してもよいし、ヘッドモジュール４８Ａに取り付けられたバーコード等から自動的に認識してもよい。
【０１１０】
ヘッドモジュール４８Ａが認識されると、当該ヘッドモジュール４８Ａに適合するヘッドモジュールの情報が取得され（ステップＳ１４）、当該ヘッドモジュールの情報はＥＥＰＲＯＭ９２Ａに記憶され（ステップＳ１６）、インクジェットヘッド４８を構成するすべてのヘッドモジュール４８Ａについて、ヘッドモジュールの情報が記憶されると、ステップＳ１８へ進む。
【０１１１】
ステップＳ１８では、インクジェットヘッド４８の動作テストが実行される。この動作テストは、インクジェットヘッド４８を動作させてテストパターンが形成され、テストパターンが解析され、インクジェットヘッド４８が正常に動作しているか否かが判断される。
【０１１２】
ステップＳ１８における動作テストに不合格の場合（Ｎｏ判定）、インクジェットヘッド４８の調整がされ（ステップＳ２０）、ステップＳ１８に戻り、再度インクジェットヘッド４８の動作テストが行われる。
【０１１３】
一方、ステップＳ１８における動作テストに合格した場合（ＹＥＳ判定）、ＥＥＰＲＯＭ９２Ａがデータの書き込み禁止状態に固定され（ステップＳ２２、書き込み禁止処理）、ヘッドモジュール４８Ａの情報の記憶は終了される（ステップＳ２４）。
【０１１４】
ステップＳ１８におけるインクジェットヘッド４８の動作テストに連続して不合格となった場合は、その旨を示す文字情報を図８の表示部に表示させる等によって、インクジェットヘッド４８の動作テストに連続して不合格となったことが報知され、ステップＳ２４に進み、当該制御を終了させるように構成してもよい。
【０１１５】
〔ヘッドモジュールの交換の説明〕
本例に示すインクジェット記録装置１０は、複数のヘッドモジュール４８Ａを組み合わせてインクジェットヘッド４８が構成されているので、ヘッドモジュール４８Ａの単位での交換が可能である。
【０１１６】
ヘッドモジュール４８Ａの単位で交換を可能にすることで、インクジェットヘッド４８の一部のノズルが使用できなくなった場合でも、インクジェットヘッド４８の全体を交換する必要がない。そうすると、交換作業の時間や交換に伴う調整作業の時間を大幅に削減することができる。
【０１１７】
図１１は、ヘッドモジュール４８Ａの交換の流れを示すフローチャートである。なお、図１１中、図１０と同一又は類似する部分には同一の符号を付し、その説明は省略する。
【０１１８】
図１１に示すヘッドモジュール４８Ａの交換では、ヘッドモジュール４８Ａの認識工程（ステップＳ１２）の前に、ヘッドモジュール４８Ａがインクジェットヘッド４８に取り付けられるヘッドモジュール取付工程（ステップＳ１）と、交換前のヘッドモジュール４８Ａの情報が書き込まれた後に溶断させたヒューズＦが交換されるヒューズ交換工程（ステップＳ２）が追加される。
【０１１９】
その後、ステップＳ１２からステップＳ２４に示す各工程を経て、ヘッドモジュール４８Ａの交換は終了される。
【０１２０】
〔第１実施形態の効果〕
上記の如く構成されたインクジェット記録装置１０は、ヘッドモジュール４８Ａごとの駆動電圧の調整や取り付け誤差の調整に用いられるヘッドモジュール４８Ａの情報がＥＥＰＲＯＭ９２Ａに記憶されると、ＥＥＰＲＯＭ９２Ａがデータの消去及びデータの書き込みが禁止される状態にハードウエア的に固定されるので、インクジェット記録装置の動作中に、ＥＥＰＲＯＭ９２Ａに記憶されたヘッドモジュール４８Ａの情報が消失することや、書き換えられるこが防止される。
【０１２１】
また、ヘッドモジュールが交換される場合には、駆動回路基板９１に搭載されたヒューズＦが交換され、ヘッドモジュール４８Ａがインクジェットヘッド４８に取り付けられた後に、交換後のヘッドモジュール４８Ａの情報が記憶され、その後、ＥＥＰＲＯＭ９２Ａはハードウエア的にデータの書き込み禁止状態に固定されるので、交換後のヘッドモジュール４８Ａの情報に基づいてインクジェットヘッド４８を動作させることができ、かつ、インクジェット記録装置の動作中に、ＥＥＰＲＯＭ９２Ａに記憶された交換後のヘッドモジュール４８Ａの情報が消失することや、書き換えられるこが防止される。
【０１２２】
〔インクジェットヘッドの説明：第２実施形態〕
次に、本発明の第２実施形態に係るインクジェット記録装置について説明する。なお、以下の説明において、先に説明した第１実施形態と同一又は類似する部分には同一の符号を付し、その説明は省略する。
【０１２３】
図１２は、第２実施形態に係るインクジェットヘッド３４８の概略構造を示す平面図であり、ヘッドモジュール３４８Ａが取り付けられるヘッド取り付けプレート３４８Ｂの外側からインクジェットヘッド３４８を見た図である。
【０１２４】
また、図１３は、ヘッドモジュール３４８Ａ（磁石３０２）と磁気センサ３０４との配置関係を模式的に図示した説明図であり、図１２のインクジェットヘッド３４８を側面から見た図である。
【０１２５】
図１２に示すインクジェットヘッド３４８は、ヘッドモジュール３４８Ａに磁石３０２が取り付けられている。図１３に示すように、ヘッドモジュール３４８Ａに取り付けられた磁石３０２の位置は、ヘッド取り付けプレート３４８Ｂに取り付けられた磁気センサ３０４の位置に対応している。
【０１２６】
本例に示すインクジェット記録装置は、磁気センサ３０４の出力信号に基づき、ヘッドモジュール３４８Ａとヘッド取り付けプレート３４８Ｂとの位置調整がされる。つまり、磁気センサ３０４と磁石３０２との距離が大きくなると、磁気センサ３０４から出力される検出信号の値が大きくなるので、この検出信号の値からヘッドモジュール３４８Ａとヘッド取り付けプレート３４８Ｂとの調整位置の誤差が把握される。
【０１２７】
一方、ヘッドモジュール３４８Ａの移動距離とセンサの検出特性（検出信号の値）が磁石ごとに異なることがあり、ヘッドモジュール３４８Ａとヘッド取り付けプレート３４８Ｂとを正確に位置合わせするためには、磁気センサ３０４と磁石３０２とのマッチングが必要になる。
【０１２８】
そこで、ヘッドモジュール３４８Ａをヘッド取り付けプレート３４８Ｂに取り付けた状態で磁気センサ３０４を固定して、ヘッドモジュール３４８Ａに取り付けられた磁石３０２の位置と、磁気センサ３０４の検出特性との関係が、センサ情報としてセンサ情報記憶部３０６に記憶される。
【０１２９】
センサ情報記憶部３０６は、センサ基板３０８に搭載された状態でデータの書き込み及びデータの消去が可能な記憶素子が適用される。かかる記憶素子の一例として、ＥＥＰＲＯＭが挙げられる。
【０１３０】
また、センサ情報記憶部３０６は、センサ情報記憶部３０６（ＥＥＰＲＯＭ）にセンサ情報が記憶された後に、センサ情報記憶部３０６（ＥＥＰＲＯＭ）をハードウエア的にデータの書き込み禁止に固定して、読み出し専用とするように構成されている。かかる構成には、図６及び図７に図示した構成を適用することができる。
【０１３１】
図１３に図示したセンサ基板３０８は、センサ情報を取得するためのセンサ情報入力部３１０を備え、所定のデータ通信ケーブル３１２を介して、制御系（図１４に図示）又は駆動電圧供給部９０（駆動回路基板９１）と接続される。
【０１３２】
図１２及び図１３には、ヘッドモジュール３４８Ａに磁石（被検出体）３０２を備え、ヘッド取り付けプレート３４８Ｂに磁気センサ３０４を備える態様を例示したが、ヘッドモジュール３４８Ａに磁気センサ３０４を備え、ヘッド取り付けプレート３４８Ｂに磁石３０２を備える態様も可能である。
【０１３３】
図１４は、第２実施形態に係るインクジェット記録装置３００の制御系の概略構成を示すブロック図である。なお、図１４中、図８と同一又は類似する部分には同一の符号を付し、その説明は省略する。
【０１３４】
図１４に示すインクジェット記録装置３００は、磁気センサ３０４、センサ情報記憶部３０６、センサ情報入力部３１０が具備され、これらはセンサ基板３０８に搭載されている。
【０１３５】
センサ情報記憶部３０６に記憶されたセンサ情報が算出され、磁気センサ３０４から得られた検出信号に基づいて、ヘッドモジュール３４８Ａ（図１３参照）とヘッド取り付けプレート３４８Ｂとの位置ずれ量が算出される。この位置ずれ量が表示部１７１へ表示される態様が好ましい。
【０１３６】
先に述べたように、磁気センサ３０４の検出特性は、磁石３０２ごとに異なることがあるために、ヘッド取り付けプレート３４８Ｂにヘッドモジュール３４８Ａが取り付けられた後（磁石３０２と磁気センサ３０４との組み合わせが決まった後）でなければ、センサ情報を取得することができない。
【０１３７】
したがって、ヘッド取り付けプレート３４８Ｂにヘッドモジュール３４８Ａが取り付けられた後に、当該ヘッドモジュール３４８Ａ（磁石３０２）に対応するセンサ情報が取得され、記憶される。
【０１３８】
なお、磁石３０２の情報は、各ヘッドモジュール３４８Ａに取り付けられた情報記憶体（ＩＣタグ等）から無線形式のデータ通信によって取得してもよいし、磁石３０２の情報が記憶された記憶媒体（メモリカード等）から、所定の通信インターフェース（カードスロット）を介して取得してもよい。
【０１３９】
また、予め複数の磁石３０２の情報が記憶されているデータベースから該当するヘッドモジュール３４８Ａに取り付けられた磁石３０２の情報を読み出してもよい。
【０１４０】
〔センサ情報の記憶制御の説明〕
図１５は、センサ情報記憶部３０６（ＥＥＰＲＯＭ）へのセンサ情報の記憶の流れを示すフローチャートである。
【０１４１】
センサ情報の記憶が開始されると（ステップＳ１００）、ヘッドモジュール３４８Ａ（磁石３０２）の認識がされる（ステップＳ１０２）。ヘッドモジュール３４８Ａの認識は、オペレータが対象となるヘッドモジュール３４８Ａの識別番号を入力してもよいし、ヘッドモジュール３４８Ａに取り付けられたバーコード等から自動的に認識してもよい。
【０１４２】
ヘッドモジュール３４８Ａが認識されると、当該ヘッドモジュール３４８Ａに取り付けられている磁石３０２に対応するセンサ情報が取得され（ステップＳ１０４）、センサ情報がセンサ情報記憶部３０６（ＥＥＰＲＯＭ）に記憶される（ステップＳ１０６）。
【０１４３】
インクジェットヘッド３４８を構成するすべてのヘッドモジュール３４８Ａについて、センサ情報が記憶されると、センサ情報記憶部３０６（ＥＥＰＲＯＭ）がデータの書き込み禁止状態に固定され（ステップＳ１０８、書込禁止処理）、センサ情報の記憶は終了される（ステップＳ１１０）。
【０１４４】
このようにして、ヘッドモジュール３４８Ａごとに、対応するセンサ情報がセンサ情報記憶部３０６へ記憶されると、各ヘッドモジュール３４８Ａに対応する磁気センサ３０４から得られた検出信号に基づき、ヘッドモジュール３４８Ａごとに位置合わせをすることが可能となる。なお、ヘッドモジュール３４８Ａを交換する場合は、図１１のステップＳ１，２が、図１５のステップ１０２の前に追加される。
【０１４５】
〔第２実施形態の効果〕
上記の如く構成されたインクジェット記録装置３００によれば、ヘッドモジュールごとに磁気センサ３０４の検出特性がセンサ情報として記憶され、センサ情報がセンサ情報記憶部３０６に記憶された後に、センサ情報記憶部３０６はハードウエア的にデータの書き込み禁止状態に固定されるので、インクジェット記録装置の稼動中にセンサ情報が消失してしまうことや、センサ情報が書き換えられることが防止される。
【０１４６】
なお、ヘッドモジュール３４８Ａが交換された場合は、図６及び図７に図示したヒューズＦが交換され、再度センサ情報が取得され、記憶された後に、センサ情報記憶部３０６はハードウエア的にデータの書き込み禁止状態に固定される。
【０１４７】
以上説明した第２実施形態に係るインクジェット記録装置は、先に説明した第１実施形態に係るインクジェット記録装置の構成と適宜組み合わせることが可能である。
【０１４８】
本明細書では、画像記録装置の一例として記録媒体上にカラー画像を形成するインクジェット記録装置を例示したが、本発明の適用範囲は、インクジェット記録装置に限定されない。
【０１４９】
例えば、樹脂粒子や金属粒子を含有する機能性液体により、所定のパターン（マスクパターン、配線パターン）を形成するパターン形成装置など、インクジェットヘッドを備えた液体吐出装置や、記録素子として複数のＬＥＤ素子が具備される記録ヘッドを備えた電子写真方式の画像記録装置などに広く適用することが可能である。
【０１５０】
また、上述した第１実施形態及び第２実施形態に係るインクジェット記録装置は、本発明の趣旨を逸脱しない範囲で、構成要素を適宜追加、変更、削除が可能である。
【０１５１】
〔本明細書が開示する発明〕
上記に詳述した発明の実施形態についての記載から把握されるとおり、本明細書は少なくとも以下に示す発明を含む多様な技術思想の開示を含んでいる。
【０１５２】
（第１態様）：複数のヘッドモジュールと、複数のヘッドモジュールごとのヘッドモジュール情報が取得されるヘッドモジュール情報取得手段と、取得されたヘッドモジュール情報が記憶されるヘッドモジュール情報記憶手段と、を備え、ヘッドモジュール情報記憶手段は、ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、記憶素子を書き込み可能状態とする第１電圧を発生させる第１電圧発生部と、第１電圧発生部と入力端子との間に具備されるヒューズと、記憶素子を書き込み禁止状態とする第２電圧を発生させる第２電圧発生部と、第２電圧発生部と入力端子との間に具備される抵抗器と、ヒューズを溶断させる電流をヒューズへ流すか否かを切り換えるスイッチ素子と、スイッチ素子の切換を行う切換信号が入力される切換信号入力部と、を具備する記録ヘッドアッセンブリ。
【０１５３】
かかる態様によれば、ヘッドモジュール情報がヘッドモジュール情報記憶手段に具備される記憶素子へ記憶されると、ヒューズを溶断させて記憶手段をハードウエア的に書込み禁止状態に固定することができるので、記憶素子に記憶されているヘッドモジュール情報が消失することや、書き換えられてしまうことが防止される。
【０１５４】
（第２態様）：ヘッドモジュール情報は、ヘッドモジュールの記録特性情報を含む記
録ヘッドアッセンブリ。
【０１５５】
かかる態様において、ヘッドモジュールの記録特性情報に基づき、ヘッドモジュールの制御パラメータが変更される態様が好ましい。
【０１５６】
（第３態様）：ヘッドモジュール情報は、ヘッドモジュールが取り付けられる取付部材とヘッドモジュールとの位置合わせに使用される位置検出素子の情報を含む記録ヘッドアッセンブリ。
【０１５７】
かかる態様によれば、位置検出情報を利用して、ヘッドモジュールと取付部材との位置合わせをすることが可能となる。
【０１５８】
（第４態様）：位置検出素子は、ヘッドモジュール又は取付部材のいずれか一方に取り付けられる磁気センサと、ヘッドモジュール又は取付部材の他方に取り付けられる磁石とを含んで構成され、位置検出素子の情報は、磁石に対応する磁気センサの出力特性である記録ヘッドアッセンブリ。
【０１５９】
かかる態様によれば、磁気センサと磁石とを用いたヘッドモジュールと取付部材との位置合わせを、磁石とのマッチングが取られた磁気センサの検出特性を利用して正確に行うことができる。
【０１６０】
（第５態様）：記憶素子は、電気配線基板に搭載された状態で電気的にデータの消去及び書き込みをすることができる半導体素子を含む記録ヘッドアッセンブリ。
【０１６１】
かかる態様における半導体素子の一例として、ＥＥＰＲＯＭが挙げられる。
【０１６２】
（第６態様）：第１態様から第５態様のいずれかに記載の記録ヘッドアッセンブリを備え、切換信号入力部は、記憶素子へのヘッドモジュール情報の記憶がされた後に、記憶素子を書き込み禁止状態に固定するために、ヒューズを溶断させる電流をヒューズへ流すようにスイッチ素子の切り換えを行う切換信号が入力される画像記録装置。
【０１６３】
（第７態様）：スイッチ素子の切り換えを行う切換信号が生成される信号生成部と、ヒューズを溶断させて記憶素子を書き込み禁止状態に固定するように、生成された切換信号を切換信号入力部へ供給するスイッチ制御部と、を備えた画像記録装置。
【０１６４】
かかる態様によれば、切換信号によってスイッチ素子を切り換えることでヒューズを溶断させることができ、記憶素子を書き込み禁止状態に固定することが可能となる。
【０１６５】
（第８態様）：ヘッドモジュールに駆動電圧を供給する駆動電圧供給手段を備え、駆動電圧供給手段は、ヘッドモジュールの記録特性情報に基づいてヘッドモジュールごとに駆動電圧を調整する画像記録装置。
【０１６６】
かかる態様によれば、ヘッドモジュールの記録特性に応じた記録ヘッドの制御が可能となる。
【０１６７】
（第９態様）：スイッチ素子は、ヒューズと直列接続されたトランジスタであり、スイッチ制御部は、トランジスタをオンさせてヒューズへヒューズを溶断させる電流を流してヒューズを溶断させた後に、トランジスタをオフに固定させるように、生成された切換信号を切換信号入力部へ供給する画像記録装置。
【０１６８】
かかる態様によれば、記憶素子が書き込み禁止状態にされた後に、書き込み禁止状態が確実に維持される。
【０１６９】
（第１０態様）：複数のヘッドモジュールと、複数のヘッドモジュールごとのヘッドモジュール情報が取得されるヘッドモジュール情報取得手段と、取得されたヘッドモジュール情報が記憶されるヘッドモジュール情報記憶手段と、を備え、ヘッドモジュール情報記憶手段は、ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、記憶素子を書き込み可能状態とする第１電圧を発生させる第１電圧発生部と、第１電圧発生部と入力端子との間に具備されるヒューズと、記憶素子を書き込み禁止状態とする第２電圧を発生させる第２電圧発生部と、第２電圧発生部と入力端子との間に具備される抵抗器と、ヒューズを溶断させる電流をヒューズへ流すか否かを切り換えるスイッチ素子と、記憶素子へのヘッドモジュールの情報の記憶がされた後に、記憶素子を書き込み禁止状態に固定するために、ヒューズを溶断させる電流をヒューズへ流すようにスイッチ素子を動作させる信号が入力される信号入力部と、スイッチ素子の切換を行う切換信号が入力される切換信号入力部と、を具備する記録ヘッドアッセンブリにおいて、記憶素子へのヘッドモジュール情報の記憶がされる記憶工程と、記憶工程の後に、ヒューズを溶断させる電流をヒューズへ流すようにスイッチ素子を切り換える切換信号が入力され、記憶素子を書き込み禁止状態に固定する固定工程と、を含む記録ヘッド調整方法。
【０１７０】
（第１１態様）：ヘッドモジュールを交換する場合に、ヘッドモジュール情報記憶手段のヒューズが交換されるヒューズ交換工程と、ヒューズ交換工程後に、交換されたヘッドモジュール情報が記憶素子へ記憶される再記憶工程と、再記憶工程の後に、交換されたヒューズを溶断させて、記憶素子を書き込み禁止状態に固定する再固定工程と、を含む記録ヘッド調整方法。
【０１７１】
かかる態様によれば、ヘッドモジュールの交換に合わせて、交換後のヘッドモジュールの情報が記憶され、この交換後のヘッドモジュールの情報が消失してしまうことや、書き換えられてしまうことが防止される。
【０１７２】
（第１２態様）：記憶工程及び再記憶工程の後に、ヘッドモジュールの動作テストが実行されるテスト工程と、固定工程及び再固定工程は、テスト工程におけるヘッドモジュールの動作テストに合格すると、その後、ヒューズを溶断させて、記憶素子を書き込み禁止状態に固定する記録ヘッド調整方法。
【０１７３】
かかる態様によれば、ヘッドモジュールの動作テストに合格した後に、記憶素子が書き込み禁止状態に固定されるので、動作テストに合格したヘッドモジュールの記憶素子に記憶されているヘッドモジュール情報が消失することや書き換えられることが防止される。
【符号の説明】
【０１７４】
１０，３００…インクジェット記録装置、４８，３４８…インクジェットヘッド、４８Ａ，３４８Ａ…ヘッドモジュール、９２，９２’…ヘッドモジュール情報記憶部、９４…データ入力部、３０２…磁石，３０４…磁気センサ、３０６…センサ情報記憶部
【図１】
0005916480.tif 000002
【図２】
0005916480.tif 000003
【図３】
0005916480.tif 000004
【図４】
0005916480.tif 000005
【図５】
0005916480.tif 000006
【図６】
0005916480.tif 000007
【図７】
0005916480.tif 000008
【図８】
0005916480.tif 000009
【図９】
0005916480.tif 000010
【図１０】
0005916480.tif 000011
【図１１】
0005916480.tif 000012
【図１２】
0005916480.tif 000013
【図１３】
0005916480.tif 000014
【図１４】
0005916480.tif 000015
【図１５】
0005916480.tif 000016